(57)【特許請求の範囲】
【請求項１】
光ドロップケーブル（１）の弛み部分が鳥によって食い千切られるのを防ぐための鳥害防止用ケーブル保護具（１０；２０）であって、
長手方向に沿って見たときに上部から左右に２分割可能な筒状の本体（１１；２１）と、
該本体の内面に形成された、かつ、前記光ドロップケーブルに前記鳥害防止用ケーブル保護具を装着したときに先端が該光ドロップケーブルの外被に食い込む突起（１２；２２）とを具備し、
前記本体の前記光ドロップケーブルに前記鳥害防止用ケーブル保護具を装着したときに該光ドロップケーブルの首部と接触する部分の内面に、凸部（１１ａ；１２ａ）が形成されている、
ことを特徴とする、鳥害防止用ケーブル保護具。
【請求項２】
前記本体（１１）の上部に、切れ目が形成されていることを特徴とする、請求項１記載の鳥害防止用ケーブル保護具。
【請求項３】
前記本体の上部を閉じた状態では該本体の上部両端部が重なり合って、前記鳥害防止用ケーブル保護具（２０）を前記光ドロップケーブルに巻き付けて装着できるようにされていることを特徴とする、請求項１記載の鳥害防止用ケーブル保護具。
【請求項４】
前記本体の底部に、水抜き穴が所定の間隔で設けられていることを特徴とする、請求項１乃至３いずれかに記載の鳥害防止用ケーブル保護具。
【請求項５】
複数本の光ドロップケーブル（１）の弛み部分が鳥によって食い千切られるのを防ぐための鳥害防止用ケーブル保護具（３０）であって、
請求項１乃至４いずれかに記載の鳥害防止用ケーブル保護具（１０；２０）からなる、かつ、前記複数本の光ドロップケーブルのうちの１本の光ドロップケーブルを保護するための第１の保護具（３１）と、
上部中央部が該第１の保護具の底部中央部に固定された、かつ、長手方向に沿って見たときに底部から左右に２分割可能な筒状の、かつ、前記複数本の光ドロップケーブルのうちの残りの光ドロップケーブルを一括して保護するための第２の保護具（３２）と、
を具備することを特徴とする、鳥害防止用ケーブル保護具。
【請求項６】
前記第１の保護具の本体の底部、前記第２の保護具の上部の該第１の保護具の水抜き穴と重なる位置および前記第２の保護具の底部に、水抜き穴が所定の間隔で設けられていることを特徴とする、請求項５記載の鳥害防止用ケーブル保護具。
【請求項７】
複数本の光ドロップケーブル（１）の弛み部分が鳥によって食い千切られるのを防ぐための鳥害防止用ケーブル保護具（４０）であって、
前記鳥害防止用ケーブル保護具の周方向に沿って等間隔に配設された、かつ、前記複数本の光ドロップケーブルをそれぞれ保護するための複数本の保護具（４１〜４５）と、
該複数本の保護具の底部によって囲まれて形成される貫通孔に挿通されたテンションメンバ（４６）とを具備し、
前記複数本の保護具が、請求項１乃至４いずれかに記載の鳥害防止用ケーブル保護具（１０；２０）からなる、
ことを特徴とする、鳥害防止用ケーブル保護具
【請求項８】
前記複数の保護具の本体の前記複数本の光ドロップケーブルへの装着後に下方を向く部分に、水抜き穴が所定の間隔で設けられていることを特徴とする、請求項７記載の鳥害防止用ケーブル保護具。
【発明の詳細な説明】
【技術分野】
【０００１】
本発明は、鳥害防止用ケーブル保護具に関し、特に、ＦＴＴＨ（Fiber To The Home）などで用いられている光ドロップケーブルの弛み部分に適用するのに好適な鳥害防止用ケーブル保護具に関する。
【背景技術】
【０００２】
従来、ＦＴＴＨなどで用いられている光ドロップケーブル１は、図５（ａ）に示すように、心線１ａおよび心線１ａを挟んで配置された２本のテンションメンバ１ｂを外被で覆った本体部と、支持線１ｃを外被で覆った支持線部と、本体部と支持線部とを接続する首部とからなる。
このような光ドロップケーブル１は、テンションメンバ１ｂに繊維強化プラスチック（ＦＲＰ：Fiber Reinforced Plastics）を用いており、軽量で細く柔軟性に優れているため、建物などに敷設し易い優れたものである。
【０００３】
光ドロップケーブル１は、このように優れた特徴を有するものであるが、ドロップクロージャ３から建物内への引込みまでの間においては、支線系光ケーブル２と螺旋状ハンガー４などを用いて一束化されて敷設されている。
【０００４】
このとき、光心線１ａに張力が掛かるのを防いだり水切りを行ったりするために、図５（ｂ）に示すようにドロップクロージャ３から引き出された光ドロップケーブル１に弛みを持たせている。
また、建物への分岐点では、光ドロップケーブル１は支線系光ケーブル２のメッセンジャワイヤ２ａに取り付けられた金物に光ドロップケーブル１の支持線１ｃを固定して分岐されるが、この金物付近でも光ドロップケーブル１に弛みを持たせて、光心線１ａに張力が掛かるのを防いだり水切りを行ったりしている。
さらに、建物内への引込み個所では、建物の壁などに取り付けられた金物に光ドロップケーブル１の支持線１ｃを固定しているが、この金物付近でも光ドロップケーブル１に弛みを持たせて、光心線１ａに張力が掛かるのを防いだり水切りを行ったりしている。
【０００５】
なお、本出願人は、下記の特許文献１において、鳥害の影響を受け易い部位を容易に保護して鳥害に起因する心線の断線を確実に防止するために、ケーブル接続用クロージャと螺旋状ハンガーとの離間部位に着脱可能なクランプカバーを取り付けて、引き込みの際の分岐点となるケーブル部位の表面を保護する保護部を設けた、ケーブル引込部の構造を提案している。
下記の特許文献２には、鳥虫獣害からケーブルを保護するために、ケーブルの外周に巻き付けられるケーブル防護カバーであって、ケーブル防護カバーの構成材料に辛味成分を含むケーブル防護カバーが開示されている。
【先行技術文献】
【特許文献】
【０００６】
【特許文献１】特開２０１０−００８７７１号公報
【特許文献２】特開２００５−０３９９０４号公報
【発明の概要】
【発明が解決しようとする課題】
【０００７】
しかしながら、都市部では、鳥の巣設営に伴い鳥が光ドロップケーブル１の弛み部分を食い千切り、光ドロップケーブル１を紛失することが認められており、回線障害に伴うサービス停止が生じるケースが発生している。
このような鳥害による回線障害に対しては効果的な防護策を施すことが要請されており、光ドロップケーブル１の弛み部分に螺旋状スリーブを巻くことも考えられるが、光ドロップケーブル１自体が大変細いため、螺旋状スリーブとして使用する適切材料がないといいう問題がある。
【０００８】
なお、上記の特許文献１において本出願人が提案しているケーブル引込部の構造は、ケーブル接続用クロージャの後端部から螺旋状ハンガーが取り付けられている先端部までの離間部位に形成された水切り部分をクランプカバーでケーブル接続用クロージャなどを支持するための支持線と共に挟み込むように構成したものである（公報の段落００２５参照）。
【０００９】
また、上記の特許文献２に開示されているような保護カバーでは、鳥が光ドロップケーブルを食い千切らないようにすることはできるが、鳥が保護カバーを突くと保護カバーがずれてしまうことが全く考慮されておらず、鳥が保護カバーを突くと保護カバーがずれてしまい光ドロップケーブルが露出してしまうため、光ドロップケーブルの露出した部分が鳥によって食い千切られるという問題がある。
【００１０】
本発明の目的は、光ドロップケーブルの弛み部分が鳥によって食い千切られるのを確実に防止することができる鳥害防止用ケーブル保護具を提供することにある。
【課題を解決するための手段】
【００１１】
本発明の第１の鳥害防止用ケーブル保護具は、光ドロップケーブル（１）の弛み部分が鳥によって食い千切られるのを防ぐための鳥害防止用ケーブル保護具（１０；２０）であって、長手方向に沿って見たときに上部から左右に２分割可能な筒状の本体（１１；２１）と、該本体の内面に形成された、かつ、前記光ドロップケーブルに前記鳥害防止用ケーブル保護具を装着したときに先端が該光ドロップケーブルの外被に食い込む突起（１２；２２）とを具備し、前記本体の前記光ドロップケーブルに前記鳥害防止用ケーブル保護具を装着したときに該光ドロップケーブルの首部と接触する部分の内面に、凸部（１１ａ；１２ａ）が形成されていることを特徴とする。
ここで、前記本体（１１）の上部に、切れ目が形成されていてもよい。
前記本体の上部を閉じた状態では該本体の上部両端部が重なり合って、前記鳥害防止用ケーブル保護具（２０）を前記光ドロップケーブルに巻き付けて装着できるようにされていてもよい。
前記本体の底部に、水抜き穴が所定の間隔で設けられていてもよい。
本発明の第２の鳥害防止用ケーブル保護具は、複数本の光ドロップケーブル（１）の弛み部分が鳥によって食い千切られるのを防ぐための鳥害防止用ケーブル保護具（３０）であって、本発明の第１の鳥害防止用ケーブル保護具（１０；２０）からなる、かつ、前記複数本の光ドロップケーブルのうちの１本の光ドロップケーブルを保護するための第１の保護具（３１）と、上部中央部が該第１の保護具の底部中央部に固定された、かつ、長手方向に沿って見たときに底部から左右に２分割可能な筒状の、かつ、前記複数本の光ドロップケーブルのうちの残りの光ドロップケーブルを一括して保護するための第２の保護具（３２）とを具備することを特徴とする。
ここで、前記第１の保護具の本体の底部、前記第２の保護具の上部の該第１の保護具の水抜き穴と重なる位置および前記第２の保護具の底部に、水抜き穴が所定の間隔で設けられていてもよい。
本発明の第３の鳥害防止用ケーブル保護具は、複数本の光ドロップケーブル（１）の弛み部分が鳥によって食い千切られるのを防ぐための鳥害防止用ケーブル保護具（４０）であって、前記鳥害防止用ケーブル保護具の周方向に沿って等間隔に配設された、かつ、前記複数本の光ドロップケーブルをそれぞれ保護するための複数本の保護具（４１〜４５）と、該複数本の保護具の底部によって囲まれて形成される貫通孔に挿通されたテンションメンバ（４６）とを具備し、前記複数本の保護具が、本発明の第１の鳥害防止用ケーブル保護具（１０；２０）からなることを特徴とする。
ここで、前記複数の保護具の本体の前記複数本の光ドロップケーブルへの装着後に下方を向く部分に、水抜き穴が所定の間隔で設けられていてもよい。
【発明の効果】
【００１２】
本発明の鳥害防止用ケーブル保護具は、以下の効果を奏する。
（１）鳥が鳥害防止用ケーブル保護具を突いて鳥害防止用ケーブル保護具がずれることを突起および凸部によって防げるため、光ドロップケーブルの弛み部分が鳥によって食い千切られるのを確実に防止することができる。
（２）鳥害防止のほかに、光ドロップケーブルを機械的に保護することもできる。
（３）構造が簡単であるため、押出し構造による製造が可能であり、製造コストの低減が期待できる。
（４）本発明の第３の鳥害防止用ケーブル保護具は、屋内用配線の保護としても集約スペーサとしても機能させることができる。
（５）本発明の第３の鳥害防止用ケーブル保護具をＬＡＮケーブルなどの集約スペーサとして用いた場合、回線系統ごとに分けることができ、物理的に効率良く集約でき、かつ、視覚的に判断し易いためタグとしての機能も期待できる。このため、障害時のケーブル調査では、当該ケーブルを素早く特定することができるなどの効果が期待できる。また、ケーブルの不具合があった場合でも、着脱が極めて簡単で作業性がよい。
（６）本発明の第３の鳥害防止用ケーブル保護具では、テンションメンバを持たないケーブルを容易に支持することができるため、脱落防止リングを用いることで機械的に安定したケーブルの保持が可能となる。
【図面の簡単な説明】
【００１３】
【図１】本発明の第１の実施例による鳥害防止用ケーブル保護具１０の構成を示す図であり、（ａ）は本体１１の上部を閉じた状態を示す横断面図、（ｂ）は本体１１の上部を開いた状態を示す横断面図、（ｃ）は本体１１内に光ドロップケーブル１を収納した状態を示す横断面図、（ｄ）は本体１１で光ドロップケーブル１を覆った状態を示す横断面図、（ｅ）はドロップクロージャ３から引き出された光ドロップケーブル１の弛み部を鳥害防止用ケーブル保護具１０で覆った状態を示す図である。
【図２】本発明の第２の実施例による鳥害防止用ケーブル保護具２０の構成を示す図であり、（ａ）は本体２１の上部を閉じた状態を示す横断面図、（ｂ）は本体２１の上部を開いた状態を示す横断面図、（ｃ）は本体２１内に光ドロップケーブル１を収納した状態を示す横断面図である。
【図３】本発明の第３の実施例による鳥害防止用ケーブル保護具３０の構成を示す図であり、（ａ）は８本の光ドロップケーブル１に装着する前の状態を示す横断面図、（ｂ）は８本の光ドロップケーブル１に装着した状態を示す横断面図である。
【図４】本発明の第４の実施例による鳥害防止用ケーブル保護具４０の構成を示す図であり、（ａ）は５本の光ドロップケーブル１に装着する前の状態を示す横断面図、（ｂ）は５本の光ドロップケーブル１に装着した状態を示す横断面図である。
【図５】光ドロップケーブル１について説明するための図であり、（ａ）は光ドロップケーブル１の構成を示す横断面図、（ｂ）はドロップクロージャ３から引き出された光ドロップケーブル１の弛み部を示す図である。
【発明を実施するための形態】
【００１４】
上記の目的を、長手方向に沿って見たときに上部から左右に２分割可能な筒状の本体の内面に突起を形成するとともに、本体の光ドロップケーブルの首部と接触する部分の内面に凸部を形成することにより実現した。
【実施例１】
【００１５】
以下、本発明の鳥害防止用ケーブル保護具の実施例について図面を参照して説明する。
本発明の第１の実施例による鳥害防止用ケーブル保護具１０（以下、「ケーブル保護具１０」と称する。）は、左右二分割型のもの（長手方向に沿って見たときに上部から左右に２分割可能なもの）であり、図１（ａ）に横断面図（長手方向に対して垂直な方向に切ったときに長手方向に沿って見た断面図）で示すように、上部に切れ目が形成された筒状の本体１１と、本体１１の内面に形成された突起１２とを具備する。
【００１６】
ここで、本体１１は、ゴムやプラスチックなどの可撓性および弾力性を有する部材から構成されており、また、本体１１を左右に分割しない限り図１（ａ）に示すように上部は閉じて、図１（ｄ）に示すように光ドロップケーブル１にケーブル保護具１０を装着した状態では円錐形状の突起１２の先端が光ドロップケーブル１の外被に食い込んで突起１２によって光ドロップケーブル１を保持できる形状および寸法とされている。
また、本体１１の光ドロップケーブル１にケーブル保護具１０を装着したときに光ドロップケーブル１の首部と接触する部分の内面には、凸部１１ａが形成されている。
これにより、光ドロップケーブル１をケーブル保護具１０によってしっかりと保持することができるため、図１（ｅ）に示すように光ドロップケーブル１の弛み部にケーブル保護具１０を装着した後に鳥に突かれてもケーブル保護具１０がずれないようにすることができる。
【００１７】
なお、突起１２は、本体１１の光ドロップケーブル１の支持線部（図５（ａ）参照）と接触する部分にのみ形成して、突起１２によって光ドロップケーブル１の心線１ａが万が一にも傷付くことがないようにしてもよい。
また、突起１２の先端が光ドロップケーブル１の支持線１ｃに多少当たっても支障はないため、本体１１の光ドロップケーブル１の支持線部と接触する部分に形成する突起１２の高さ（底面から先端までの長さ）を大きくして、光ドロップケーブル１の保持力を大きくするようにしてもよい。
【００１８】
冬季においては本体１１と光ドロップケーブル１との間の雨水が凍る場合があり、凍結による膨張で心線１ａに曲げ力がかかることがあるため、本体１１の底部にたとえば１０ｃｍ間隔で水抜き穴を設けるようにしてもよい。
【００１９】
次に、ケーブル保護具１０の使用方法について、図５（ｂ）に示したドロップクロージャ３から引き出された光ドロップケーブル１の弛み部にケーブル保護具１０を装着する場合を例として説明する。
作業員は、図１（ｂ）に示すようにケーブル保護具１０の本体１１を左右に分割して本体１１の上部を開き、図１（ｃ）に示すように本体１１の上部から光ドロップケーブル１の本体部を先にして本体１１内に光ドロップケーブル１を収納したのち、図１（ｄ）に示すように本体１１の上部を閉じる作業を、光ドロップケーブル１のドロップクロージャ３からの引出し部分から螺旋状ハンガー４の端部手前部分まで繰り返すことにより、ドロップクロージャ３から引き出された光ドロップケーブル１の弛み部にケーブル保護具１０を装着して行く。
【００２０】
なお、建物への分岐点や建物内への引込み個所における光ドロップケーブル１の弛み部分についても、同様の作業によりケーブル保護具１０を装着する。
【実施例２】
【００２１】
次に、本発明の第２の実施例による鳥害防止用ケーブル保護具について、図２（ａ）〜（ｄ）を参照して説明する。
本実施例による鳥害防止用ケーブル保護具２０（以下、「ケーブル保護具２０」と称する。）は、図２（ａ）〜（ｄ）に示すように、本体２１の上部を閉じた状態では本体２１の上部両端部が重なり合う（すなわち、本体２１の上部の一端側の外面と他端側の内面とが密着する）ようにすることにより、ケーブル保護具２０を光ドロップケーブル１に巻き付けて装着することができるようにされている点で、上述した第１の実施例によるケーブル保護具１０と異なる。
【００２２】
そのため、光ドロップケーブル１を本体２１内に収納したときに光ドロップケーブル１の支持線部と接触する本体２１の上部の一端部（図２（ａ）図示右側部）の内面には突起２２が形成されているが、本体２１の上部の他端部（図２（ａ）図示左側部）の内面には突起２２が形成されていない。
【００２３】
次に、ケーブル保護具２０の使用方法について、図５（ｂ）に示したドロップクロージャ３から引き出された光ドロップケーブル１の弛み部にケーブル保護具２０を装着する場合を例として説明する。
作業員は、図２（ｂ）に示すようにケーブル保護具２０の本体２１を左右に分割して本体２１の上部を開き、図２（ｃ）に示すように本体２１の上部から光ドロップケーブル１の本体部を先にして本体２１内に光ドロップケーブル１を収納したのち、本体２１の上部の一端側を光ドロップケーブル１の支持線部に被せた後で本体２１の上部の他端側を本体２１の上部の一端側に被せることにより図２（ｄ）に示すように本体２１の上部を閉じる作業を、光ドロップケーブル１のドロップクロージャ３からの引出し部分から螺旋状ハンガー４の端部手前部分まで繰り返すことにより、ドロップクロージャ３から引き出された光ドロップケーブル１の弛み部にケーブル保護具２０を装着して行く。
【００２４】
なお、建物への分岐点や建物内への引込み個所における光ドロップケーブル１の弛み部分についても、同様の作業によりケーブル保護具２０を装着する。
【実施例３】
【００２５】
次に、本発明の第３の実施例による鳥害防止用ケーブル保護具について、図３（ａ），（ｂ）を参照して説明する。
本実施例による鳥害防止用ケーブル保護具３０（以下、「ケーブル保護具３０」と称する。）は、ドロップクロージャ３から複数本の光ドロップケーブル１が引き出されているような場合などに使用するものであり、図３（ａ）に示すように、複数本の光ドロップケーブル１のうちの１本の光ドロップケーブル１を保護するための第１の保護具３１と、上部中央部が第１の保護具３１の底部中央部に固定された、かつ、複数本の光ドロップケーブル１のうちの残りの光ドロップケーブル１を一括して保護するための第２の保護具３２とを具備する。
【００２６】
ここで、第１の保護具３１は、上述した第１の実施例によるケーブル保護具１０と同様の構成のものである。
【００２７】
第２の保護具３２は、第１の保護具３１と同様に左右二分割型の筒状のものであるが、長手方向に沿って見たときに底部から左右に２分割可能なものである。
すなわち、第２の保護具３２は、複数本の光ドロップケーブル１を底部側から収納するようにされているとともに、底部を閉じた状態では底部両端部が重なり合う（すなわち、底部の一端側の外面と他端側の内面とが密着する）ようにされている。
【００２８】
次に、ケーブル保護具３０の使用方法について、図５（ｂ）に示したドロップクロージャ３から引き出された８本の光ドロップケーブル１の弛み部にケーブル保護具３０を装着する場合を例として説明する。
作業員は、第１の実施例によるケーブル保護具１０の使用方法の説明で図１（ｂ）〜（ｄ）に示した同様に、第１の保護具３１の本体を左右に分割して本体の上部を開き、ドロップクロージャ３から引き出された８本の光ドロップケーブル１のうちの１本の光ドロップケーブル１を本体の上部からこの光ドロップケーブル１の本体部を先にして本体１１内に収納したのち、本体の上部を閉じる作業を、この光ドロップケーブル１のドロップクロージャ３からの引出し部分から螺旋状ハンガー４の端部手前部分まで繰り返すことにより、この光ドロップケーブル１の弛み部に第１の保護具３１を装着して行く。
【００２９】
続いて、作業員は、第２の保護具３２を左右に分割して第２の保護具３２の底部を開き、ドロップクロージャ３から引き出された８本の光ドロップケーブル１のうちの残りの７本の光ドロップケーブル１を第２の保護具３２の底部から第２の保護具３２内に収納したのち、第２の保護具３２の底部を閉じる作業を、これらの７本の光ドロップケーブル１のドロップクロージャ３からの引出し部分から螺旋状ハンガー４の端部手前部分まで繰り返すことにより、これら７本の光ドロップケーブル１の弛み部に第２の保護具３２を装着して行く。
【００３０】
これにより、図３（ｂ）に示すように、ドロップクロージャ３から引き出された８本の光ドロップケーブル１のうちの１本の光ドロップケーブル１が鳥によって食い千切られることを第１の保護具３１で保護することができるとともに、残りの７本の光ドロップケーブル１が鳥によって食い千切られることを第２の保護具３２によって保護することができる。
また、１本の光ドロップケーブル１は第１の保護具３１によってしっかりと保持することができるため、鳥に突かれてもケーブル保護具３０がずれないようにすることができる。
【００３１】
なお、第１の保護具３１の本体の底部にたとえば１０ｃｍ間隔で水抜き穴を設けるとともに、第２の保護具３２の上部の第１の保護具３１の水抜き穴と重なる位置および第２の保護具３２の底部にたとえば１０ｃｍ間隔で水抜き穴を設けて、冬季における雨水の凍結による膨張によって８本の光ドロップケーブル１の心線１ａに曲げ力がかかることを防止するようにしてもよい。
【００３２】
また、第１の保護具３１は、第１の実施例によるケーブル保護具１０と同様の構成のものとしたが、上述した第２の実施例によるケーブル保護具２０と同様の構成のものとしてもよい。
【実施例４】
【００３３】
次に、本発明の第４の実施例による鳥害防止用ケーブル保護具について、図４（ａ），（ｂ）を参照して説明する。
本実施例による鳥害防止用ケーブル保護具４０（以下、「ケーブル保護具４０」と称する。）は、ドロップクロージャ３から５本の光ドロップケーブル１が引き出されているような場合などに使用するものであり、図４（ａ）に示すように、ケーブル保護具４０の周方向に沿って等間隔に配設された（すなわち、ケーブル保護具４０の長手方向に沿って見た時に第１乃至第５の保護具４１〜４５の上部が中心点から７２度の間隔で位置するように放射状に配設された）第１乃至第５の保護具４１〜４５と、第１乃至第５の保護具４１〜４５の底部によって囲まれて形成される貫通孔に挿通されたテンションメンバ（張力体）４６とを具備する。
【００３４】
ここで、第１乃至第５の保護具４１〜４５は、上述した第１の実施例によるケーブル保護具１０と同様の構成のものである。
テンションメンバ４６は、５本の光ドロップケーブル１の機械的強度を向上させるためのものである。
【００３５】
次に、ケーブル保護具４０の使用方法について、図５（ｂ）に示したドロップクロージャ３から引き出された５本の光ドロップケーブル１の弛み部にケーブル保護具４０を装着する場合を例として説明する。
作業員は、第１の実施例によるケーブル保護具１０の使用方法の説明で図１（ｂ）〜（ｄ）に示した同様に、第１の保護具４１の本体を左右に分割して本体の上部を開き、ドロップクロージャ３から引き出された５本の光ドロップケーブル１のうちの１本の光ドロップケーブル１を本体の上部からこの光ドロップケーブル１の本体部を先にして本体内に収納したのち、本体の上部を閉じる作業を、この光ドロップケーブル１のドロップクロージャ３からの引出し部分から螺旋状ハンガー４の端部手前部分まで繰り返すことにより、この光ドロップケーブル１の弛み部に第１の保護具４１を装着して行く。
【００３６】
続いて、作業員は、同様の作業を残りの４本の光ドロップケーブル１に対して繰り返すことにより、４本の光ドロップケーブル１の弛み部に第２乃至第５の保護具４２〜４５をそれぞれ装着する。
【００３７】
これにより、図４（ｂ）に示すように、ドロップクロージャ３から引き出された５本の光ドロップケーブル１が鳥によって食い千切られることを第１乃至第５の保護具４１〜４５で保護することができる。
【００３８】
なお、第１乃至第５の保護具４１〜４５の本体の５本の光ドロップケーブル１への装着後に下方を向く部分にたとえば１０ｃｍ間隔で水抜き穴を設けて、冬季における雨水の凍結による膨張によって５本の光ドロップケーブル１の心線１ａに曲げ力がかかることを防止するようにしてもよい。
【００３９】
また、第１の保護具４１によって１本の光ドロップケーブル１をしっかりと保持することができるため、鳥に突かれてもケーブル保護具４０がずれないようにすることができるので、第２乃至第５の保護具４２〜４５には突起（図１（ａ）に示した突起１２参照）を形成しなくてもよい。
【００４０】
さらに、第１乃至第５の保護具４１〜４５は、第１の実施例によるケーブル保護具１０と同様の構成のものとしたが、上述した第２の実施例によるケーブル保護具２０と同様の構成のものとしてもよい。
【符号の説明】
【００４１】
１  光ドロップケーブル
１ａ  心線
１ｂ  テンションメンバ
１ｃ  支持線
２  支線系光ケーブル
２ａ  メッセンジャワイヤ
３  ドロップクロージャ
４  螺旋状ハンガー
１０，２０，３０，４０  ケーブル保護具
１１，２１  本体
１１ａ，２１ａ  凸部
１２，２２  突起
３１  第１の保護具
３２  第２の保護具
４１〜４５  第１乃至第５の保護具
４６  テンションメンバ
【図１】
0005394367.tif 000002
【図２】
0005394367.tif 000003
【図３】
0005394367.tif 000004
【図４】
0005394367.tif 000005
【図５】
0005394367.tif 000006